【手続補正書】
【提出日】平成22年1月28日(2010.1.28)
【手続補正１】
【補正対象書類名】特許請求の範囲
【補正対象項目名】全文
【補正方法】変更
【補正の内容】
【特許請求の範囲】
【請求項１】
機器収納ラックであって、
内部領域を画定すると共に穴あきパネルを備えたハウジングと、
前記内部領域内で前記ハウジングに支持される少なくとも1つの電子機器と、
前記機器収納ラックの状態を監視且つ表示するよう適合された管理システムで、
前記ハウジングの前記内部領域に載置されたコントローラユニットと、
前記コントローラユニットに接続し且つ前記ハウジングの前記穴あきパネルに載置された表示装置であって、二部構造であり、該表示装置の第1部分は前記穴あきパネルの外側に配置されるよう構成される一方、該表示装置の第2部分は前記穴あきパネルの内側に配置され、該第1及び第2部分は、前記穴あきパネルに専用開口部を形成することなく且つ該第1部分と該第2部分との間に前記穴あきパネルを配置した状態で、互いに固定される前記表示装置と、
を含む管理システムとを含む、機器収納ラック。
【請求項２】
前記機器収納ラックの少なくとも1つのパラメータを監視するための、前記コントローラユニットに結合された少なくとも1つの監視装置を更に含み、該少なくとも1つの監視装置が、前記機器収納ラックの前記ハウジングに載置された環境センサを含む、請求項1に記載の機器収納ラック。
【請求項３】
前記環境センサは温度センサを含み、前記機器収納ラック管理システムは、前記コントローラユニットに結合された空気調和装置を更に含み、前記コントローラユニットが、前記温度センサが得た情報に基づいて該空気調和装置の動作を制御するよう構成された、請求項2に記載の機器収納ラック。
【請求項４】
前記機器収納ラックの前記ハウジングに固定されるよう構成されたセンサ取り付け台と、前記環境センサを該センサ取り付け台に取り付けるためのスナップ留めクリップ及びジップタイの何れかとを更に含む、請求項3に記載の機器収納ラック。
【請求項５】
前記環境センサが該環境センサを前記コントローラユニットに接続するケーブルを含み、前記管理システムが、前記機器収納ラックの前記ハウジングに固定されるよう構成されたケーブル取り付け台と、該ケーブルを該ケーブル取り付け台に取り付けるためのスナップ留めクリップ及びジップタイの何れかとを含む、請求項4に記載の機器収納ラック。
【請求項６】
前記少なくとも1つの電子機器に接続された電源装置を更に含み、前記少なくとも1つの監視装置が該電源装置に接続された、請求項
2に記載の機器収納ラック。
【請求項７】
前記穴あきパネルは、該ハウジングの前記内部領域に手が届くようにドアの一部であり、前記表示装置は前記機器収納ラックの該ドアに載置されるよう構成された、請求項1に記載の機器収納ラック。
【請求項８】
前記コントローラユニットを第2機器収納ラックの第2コントローラユニットに接続するよう構成されたケーブルを更に含む、請求項1に記載の機器収納ラック。
【請求項９】
前記コントローラユニットに結合されると共に前記機器収納ラックの前記ハウジングに載置されたビーコンであって、前記少なくとも1つの監視装置が所定の事象を検出すると警報を発するためのビーコンを更に含む、請求項1に記載の機器収納ラック。
【請求項１０】
ネットワーク管理システムと通信するよう更に構成された、請求項1に記載の機器収納ラック。
【請求項１１】
前記コントローラユニットは、該コントローラユニットを、前記機器収納ラックの前記ハウジングの前記内部領域において前記機器収納ラックの前記ハウジングに固定するよう構成された取り付けタブを備えたケーシングを含む、請求項1に記載の機器収納ラック。
【請求項１２】
前記ハウジングが標準19インチラックとして構成された、請求項1に記載の機器収納ラック。
【請求項１３】
機器収納ラック内に載置されるよう構成されたコントローラユニットと、
前記機器収納ラックの穴あきパネルに載置されるよう構成された二部構造の表示装置であって、該表示装置の第1部分は該穴あきパネルの外側に配置されるよう構成される一方、該表示装置の第2部分は該穴あきパネルの内側に配置され、該第1及び第2部分は、該穴あきパネルに専用開口部を形成することなく且つ該第1部分と該第2部分との間に該穴あきパネルを配置した状態で、互いに固定される前記表示装置と、
前記コントローラユニットと前記表示装置との間に通信を実現するためのケーブルとを備えた、キット。
【請求項１４】
前記機器収納ラックの少なくとも1つのパラメータを監視するよう構成された少なくとも1つの監視装置と、前記少なくとも1つの監視装置と前記コントローラユニットとの間に通信を実現するケーブルとを更に含む、請求項13に記載のキット。
【請求項１５】
前記少なくとも1つの監視装置が少なくとも1つの環境センサを含む、請求項14に記載のキット。
【請求項１６】
前記少なくとも1つの監視装置が電源装置に接続された、請求項14に記載のキット。
【請求項１７】
別のケーブルが、前記コントローラユニットと第2機器収納ラックの第2コントローラユニットとの間に通信を実現する、請求項14に記載のキット。
【請求項１８】
別のケーブルによって前記コントローラユニットに結合されると共に前記機器収納ラックのハウジングに載置されるよう構成されたビーコンであって、前記少なくとも1つの監視装置が所定の事象を検出すると警報を発するためのビーコンを更に含む、請求項14に記載のキット。
【請求項１９】
前記コントローラユニットがネットワーク管理システムと通信するよう構成された、請求項14に記載のキット。
【請求項２０】
前記コントローラユニットが、該コントローラユニットを、前記機器収納ラックの前記ハウジングの内部領域において前記機器収納ラックの前記ハウジングに固定するよう構成された取り付けタブを備えたケーシングを含む、請求項14に記載のキット。
【請求項２１】
別のケーブルによって前記コントローラユニットに結合されるよう構成された冷却システムを更に含む、請求項14に記載のキット。
【請求項２２】
少なくとも1つの電子機器を含むタイプの機器収納ラックを制御する方法であって、
コントローラユニットを前記機器収納ラックに載置する段階と、
表示装置を前記機器収納ラックの穴あきパネルに載置する段階であって、該表示装置が二部構造であり、該表示装置の第1部分は該穴あきパネルの外側に配置されるよう構成される一方、該表示装置の第2部分は該穴あきパネルの内側に配置され、該第1及び第2部分は、該穴あきパネルに専用開口部を形成することなく且つ該第1部分と該第2部分との間に該穴あきパネルを配置した状態で、互いに固定される、載置する段階と、
前記機器収納ラックの少なくとも1つのパラメータを監視するよう構成された少なくとも1つの監視装置を取り付ける段階と、
前記コントローラユニットを前記表示装置及び前記少なくとも1つの監視装置に接続する段階とを含む、方法。
【請求項２３】
前記コントローラユニットを前記機器収納ラックの無停電電源装置に接続する段階を更に含む、請求項22に記載の方法。
【請求項２４】
前記少なくとも1つの監視装置が環境センサを含む、請求項22に記載の方法。
【請求項２５】
前記環境センサが温度センサと温度兼湿度センサとの何れかを含み、前記方法が、冷却システムを前記コントローラユニットに接続する段階を更に含み、前記コントローラユニットは、該温度センサが得た情報に基づいて該冷却システムの動作を制御するよう構成された、請求項22に記載の方法。
【請求項２６】
少なくとも1つの監視装置を取り付ける前記段階は、センサ取り付け台を前記機器収納ラックの前記ハウジングに固定する段階と、スナップ留めクリップ及びジップタイの何れかを用いて前記少なくとも1つの監視装置を該センサ取り付け台に取り付ける段階とを含む、請求項22に記載の方法。
【請求項２７】
前記コントローラユニットを前記少なくとも1つの監視装置に接続する前記段階は、ケーブルを使用する段階を含み、更に、ケーブル取り付け台を前記機器収納ラックの前記ハウジングに固定する段階と、該ケーブルを該ケーブル取り付け台にジップタイを用いて取り付ける段階とを含む、請求項22の方法。
【請求項２８】
前記ケーシングが17インチの幅方向寸法を備えた、請求項1に記載の機器収納ラック。
【請求項２９】
機器収納ラックであって、
内部領域を画定すると共に穴あきパネルを備えたハウジングと、
前記内部領域内で前記ハウジングに支持される少なくとも1つの電子機器と、
前記機器収納ラックの状態を監視且つ表示するよう適合されると共にコントローラユニットと表示装置とを含む管理システムであって、該表示装置は、該コントローラユニットに接続し且つ前記ハウジングの前記穴あきパネルに載置され且つ二部構造であり、該表示装置の第1部分は前記穴あきパネルの外側に配置されるよう構成される一方、該表示装置の第2部分は前記穴あきパネルの内側に配置され、該第1及び第2部分は、前記穴あきパネルに専用開口部を形成することなく且つ該第1部分と該第2部分との間に前記穴あきパネルを配置した状態で、互いに固定される前記表示装置と、を含む機器収納ラック。